(57)【特許請求の範囲】
【請求項１】
遊技機全体を制御するメイン制御基板と、このメイン制御基板からの払出指令を受けて賞球の払出装置の払出動作を制御する賞球制御基板と、前記メイン制御基板と前記賞球制御基板とは供給線を介して接続され、この供給線を通じてメイン制御基板と賞球制御基板に対して電力を供給する電源基板と、
停電を検出して停電検出信号を前記メイン制御基板に出力する停電検出回路とを備え、
前記メイン制御基板には、共に同基板内に設けられ、内部グランドである第１グランドに接続されるＣＰＵ回路とインターフェース回路とが備えられるとともに、このメイン制御基板の前記ＣＰＵ回路にはリセット回路が接続され、
前記賞球制御基板には、共に同基板内に設けられたグランドに接続されるＣＰＵ回路とインターフェース回路とが設けられるとともに、この賞球制御基板のインターフェース回路と同基板内の前記グランドとの間から分岐して設けられた、内部グランドである第２グランドとが設けられ、前記賞球制御基板の前記インターフェース回路と前記メイン制御基板の前記インターフェース回路との間は信号線と、前記第１グランド及び前記第２グランドに基準電位を与える基準線とによって接続され、
また、
前記メイン制御基板には、前記供給線に接続され第１ノイズ抑制手段としてのコイルと前記メイン制御基板の前記インターフェース回路と前記第１グランドとの間に接続された第２ノイズ抑制手段としてのコイルとを備え、
前記賞球制御基板には、前記供給線に接続された第５ノイズ抑制手段としてのコイルと、前記賞球制御基板の前記インターフェース回路と同賞球制御基板内の前記グランドとの間に接続された第４ノイズ抑制手段としてのコイルが備えられ、
さらに、
前記基準線は、前記メイン制御基板のインターフェース回路と前記第２ノイズ抑制手段との間、及び前記賞球制御基板において前記第２グランドの分岐線にそれぞれ接続されるとともに、前記供給線のうち前記賞球制御基板と接続されているものと前記第２グランドを通じて電気的に接続され、かつ当該供給線は前記電源基板に設けられた第３グランドに接続されていることを特徴とする遊技機。
【発明の詳細な説明】
【０００１】
【発明の属する技術分野】
本発明は遊技機に関し、複数の経路から特定の基板に侵入しようとするノイズを抑制する技術に関する。
【０００２】
【従来の技術】
遊技場に設置した遊技機（例えばパチンコ機）には、基板や各種装置に電力を供給する電源基板や、遊技機全体の制御を総括するメイン制御基板、図柄等の表示を制御する表示制御基板、スピーカから出す音を制御する音制御基板等のように複数の基板を備えるのが通常である。基板間では信号伝達を行うために、当該信号そのものを伝達する信号線と、基準電位（グランドの電位；例えば０ボルト）を与える基準線とを電気的に接続している。
【０００３】
ところで一般の遊技場では様々の要因によってノイズが氾濫しており、当該ノイズ（特に高周波ノイズ）が上記基準線を通じて基板に侵入すると当該基板が誤作動する可能性がある。すなわちノイズは基板上の配線間の浮遊容量や素子自体の浮遊容量等を通じて伝搬してゆき、例えばメモリ内容を変化させたりバスラインの信号を変化させる等によって当該基板を誤作動させる可能性がある。
【０００４】
【発明が解決しようとする課題】
例えばメイン制御基板は、電源基板から供給線を通じて電力の供給を受け、表示制御基板や音制御基板等には信号線や基準線を通じて対応する信号を伝達する。よってメイン制御基板には、入力側の供給線と、出力側の信号線および基準線とを通じて複数の経路からノイズが侵入し得る。供給線を通じてノイズがメイン制御基板に侵入すると、メイン制御基板上に形成した回路に供給する電力が不安定になる。また、信号線や基準線を通じてノイズがメイン制御基板に侵入すると、メイン制御基板の基準電位が変化して当該基準電位と相対的な電位が閾値を下回る。これらの場合には、いずれも回路が誤作動する可能性がある。
本発明はこのような点に鑑みてなしたものであり、メイン制御基板のような特定の基板に複数の経路から侵入しようとするノイズを抑制することにより、当該特定の基板を安定して作動させ得る遊技機を提供するのが目的である。
【０００６】
当該手段１によれば、遊技機全体を制御するメイン制御基板と、このメイン制御基板からの払出指令を受けて賞球の払出装置の払出動作を制御する賞球制御基板と、前記メイン制御基板と前記賞球制御基板とは供給線を介して接続され、この供給線を通じてメイン制御基板と賞球制御基板に対して電力を供給する電源基板と、停電を検出して停電検出信号を前記メイン制御基板に出力する停電検出回路とを備え、前記メイン制御基板には、共に同基板内に設けられ、内部グランドである第１グランドに接続されるＣＰＵ回路とインターフェース回路とが備えられるとともに、このメイン制御基板の前記ＣＰＵ回路にはリセット回路が接続され、前記賞球制御基板には、共に同基板内に設けられたグランドに接続されるＣＰＵ回路とインターフェース回路とが設けられるとともに、この賞球制御基板のインターフェース回路と同基板内の前記グランドとの間から分岐して設けられた、内部グランドである第２グランドとが設けられ、前記賞球制御基板の前記インターフェース回路と前記メイン制御基板の前記インターフェース回路との間は信号線と、前記第１グランド及び前記第２グランドに基準電位を与える基準線とによって接続され、また、前記メイン制御基板には、前記供給線に接続され第１ノイズ抑制手段としてのコイルと前記メイン制御基板の前記インターフェース回路と前記第１グランドとの間に接続された第２ノイズ抑制手段としてのコイルとを備え、前記賞球制御基板には、前記供給線に接続された第５ノイズ抑制手段としてのコイルと、前記賞球制御基板の前記インターフェース回路と同賞球制御基板内の前記グランドとの間に接続された第４ノイズ抑制手段としてのコイルが備えられ、さらに、前記基準線は、前記メイン制御基板のインターフェース回路と前記第２ノイズ抑制手段との間、及び前記賞球制御基板において前記第２グランドの分岐線にそれぞれ接続されるとともに、前記供給線のうち前記賞球制御基板と接続されているものと前記第２グランドを通じて電気的に接続され、かつ当該供給線は前記電源基板に設けられた第３グランドに接続されている。
供給線を通じて侵入しようとするノイズを第１ノイズ抑制手段で抑制し、また信号線や基準線を通じて侵入しようとするノイズを第２ノイズ抑制手段によってメイン制御基板内に侵入するのを抑制する。第２ノイズ抑制手段によってメイン制御基板へ侵入するのを抑制されたノイズは基準線を通じて賞球制御基板へ侵入しうるが、基準線は第２グランドを通じて供給線につながっているので、当該供給線を経て電源基板の第３グランドから逃がすことができる。したがって、複数経路から侵入しようとするノイズを抑制し、メイン制御基板と賞球制御基板の動作を安定させることができる。
【００１１】
【発明の実施の形態】
以下、本発明における実施の形態を図面に基づいて説明する。本実施の形態は遊技機の一つであるパチンコ機に本発明を適用した例であって、図２，図３を参照しながら説明する。なお、パチンコ機の正面側（遊技者が遊技する側）は本発明の要旨と直接は関係しないので図示および説明を省略する。また、単に「接続」という場合には、電気的な接続を意味する。さらに、単に「基板」という場合には、パチンコ機に備えた少なくとも一つの基板を意味する。そして、基準電位は例えば０ボルトとするが、任意の電位であってもよい。
【００１２】
背面側におけるパチンコ機１０の概略構成について、図２を参照しながら説明する。ベース枠の背面側に組み付けた支持枠体１４は、遊技盤を取付可能に構成する。当該遊技盤を支持枠体１４に取り付けた状態で当該遊技盤の背面側から裏セット部材１９を装着し、裏セット部材１９を複数個の締付具１２で締め付けて遊技盤を固定する。当該裏セット部材１９はベース枠に対して開閉可能に構成し、裏カバー１７，球タンク４２，誘導樋４０，発射制御装置２５等を備える。よって、遊技盤は裏セット部材１９を開閉することで着脱や交換等ができる。
【００１３】
裏カバー１７は、羽根，回転体，キャラクタ等の可動体を備えた役物装置（センター役物）や、液晶表示器等に図柄等の表示を制御する表示制御基板１５等を背面側からカバーする。さらに裏カバー１７の背面側には、パチンコ機１０のほぼ全体を制御するメイン制御基板１８や、装飾用ランプ等の点灯・点滅を制御するランプ制御基板１６、スピーカから出す音を制御する音制御基板３０等を備える。配送されてきたパチンコ球は球タンク４２に一時的に貯留した後、誘導樋４０を経て払出装置２８に送り出す。当該払出装置２８は上記メイン制御基板１８から伝達された払出指令を受けて、所要個数のパチンコ球を正面側に備えた上皿や下皿に払い出す。発射制御装置２５が発射モータ２２の作動を制御して発射部材２０を往復運動させることにより、上皿から供給されたパチンコ球を遊技盤の遊技領域内に打ち出す。発射部材２０によってパチンコ球を発射する強度は、強度調整機構２４によって調整可能である。発射モータ２２，発射部材２０，強度調整機構２４はベース枠に備える。発射モータ２２には例えばサーボモータを用いるが、パルスモータ等のような他種のモータを用いてもよい。払出装置２８の正面側（図２では図面裏側）には、メイン制御基板１８から出力された信号を受けて払出装置２８等の作動を制御する賞球制御基板２７を備える。
その他、電源コード３２から供給された電力を各装置に分配するべく配電盤３６内に備えた電源基板３４と、ランプ制御基板１６と音制御基板３０との間に備えた接続基板３８と、払出装置２８の下方に備えた接続基板２６とを有する。
【００１４】
上述のように構成したパチンコ機１０において、電源基板３４から二つの基板（例えばメイン制御基板１８と賞球制御基板２７）に電力を供給するべく図３に示すように接続する。すなわち電源基板３４はグランドＧ２（第３グランドＧａ）と、交流電源ＡＣ（例えば２４ボルト）に含まれるノイズを除去するノイズフィルタ５０と、そのノイズフィルタ５０によってノイズが除去された交流をダイオードブリッジで全波整流して生じた脈流を平滑化するコンデンサＣ２と、ダイオードＤ２で整流した電圧を入力して第１電圧Ｖｃ（例えば５ボルト）で安定化して出力する安定化電源回路５２と、その第１電圧ＶｃをダイオードＤ６を介して蓄電し第２電圧Ｖｂ（例えば５ボルト）を出力するコンデンサＣ６と、当該コンデンサＣ６で蓄電した電力の逆流を防止するダイオードＤ６と、第３電圧Ｖｄ（例えば３４ボルト）に整流して調整するコンデンサＣ４および抵抗Ｒ２およびダイオードＤ４などを有する。なお第１電圧Ｖｃ，第２電圧Ｖｂ，第３電圧Ｖｄ等は、グランドＧ２，Ｇ４，Ｇ６等を基準電位とした相対的な電位差である。
【００１５】
ここで、安定化電源回路５２のグランド端子（ＧＮＤ）や、ダイオードＤ６と接続する側と反対側のコンデンサＣ６、コンデンサＣ４および抵抗Ｒ２の一方側は、いずれも共通するグランドＧ２に接続する。
また、ノイズフィルタ５０の入力端と出力端の双方には、静電気や落雷等によるサージエネルギー（Surge Energy）を吸収可能なサージ吸収素子を接続する。交流電源ＡＣの一方側はアレスタＡＲを介して接地するための枠接地端子ＦＧに接続する。アレスタＡＲは、二つの電極間に微小ギャップを設けるとともに流体（気体または液体）を封入した放電管（素子）であって、サージ吸収素子と同様に上記サージエネルギーを放電する機能を有する。ダイオードブリッジとダイオードＤ２との間には、電源投入時に生じ得る突入電流を防止するパワーサーミスタＮＴＣ（Negative Temperature Coefficient）を備えた。
【００１６】
次にメイン制御基板１８は、電源基板３４との間を接続する供給ケーブルＪ２，Ｊ４，Ｊ６に入ったノイズＮの侵入をそれぞれ抑制可能なチョークコイル６０と、第１電圧Ｖｃまたは第２電圧Ｖｂを受けて作動可能なＣＰＵ回路６２と、ＣＰＵ回路６２の信号出力端子（Ｄｘ）から賞球制御基板２７に所要の信号を伝達するインタフェース回路６４と、第３電圧Ｖｄを受けて大入賞口に備えた開閉蓋を開閉するソレノイド７０の作動を制御するトランジスタＱ２などを有する。
【００１７】
コイルＬ１０，Ｌ１２，Ｌ１４を備えたチョークコイル６０には、当該コイルＬ１０，Ｌ１２，Ｌ１４を一緒に撚り合わせたコモンモード・チョークコイルを用いるのが望ましい。複数のコイルを撚り合わせると、同位相で通過するノイズ（電流）の増減に従って発生する逆起電力を互いに打ち消し合うため、当該ノイズを効率良く除去することができる。また、コイルＬ１０，Ｌ１２，Ｌ１４は通過する信号の周波数が高くなるにつれてインピーダンスが高くなる性質があるため、ローパスフィルタとして作用する。したがって、コイルＬ１０，Ｌ１２，Ｌ１４は供給ケーブルＪ２，Ｊ４，Ｊ６から入ったノイズＮ（特に高周波成分）を除去してＣＰＵ回路６２に侵入するのを抑制することができる。
なお、コモンモード・チョークコイルを基板上に配置する場合には、コモンモード・チョークコイルの近傍や直下（多層基板では他の層を含む）にはグランドや信号線等の配線パターンを引かないように基板のアートワーク設計（パターン設計）するのが望ましい。こうすれば、コモンモード・チョークコイルと配線パターンとの間に生じる浮遊容量を通じて、ノイズＮがコモンモード・チョークコイルから配線パターンに移転するのを防止できる。
【００１８】
供給ケーブルＪ２は安定化電源回路５２の電圧出力端子（Ｖcc）とコイルＬ１０との間を接続し、安定化電源回路５２のグランド端子（ＧＮＤ）とコイルＬ１２との間を接続した供給ケーブルＪ４と合わせて、メイン制御基板１８に第１電圧Ｖｃを供給する。また、供給ケーブルＪ４は電源基板３４のグランドＧ２と、メイン制御基板１８のグランドＧ４および賞球制御基板２７のグランドＧ８とを接続する。そして、供給ケーブルＪ６はダイオードＤ６とコンデンサＣ６との接続点とコイルＬ１４との間を接続し、供給ケーブルＪ４と合わせてメイン制御基板１８に第２電圧Ｖｂを供給する。さらに、供給ケーブルＪ８はダイオードＤ４とコンデンサＣ４との接続点から第３電圧Ｖｄをメイン制御基板１８および賞球制御基板２７に供給する。
【００１９】
ＣＰＵ回路６２はパチンコ機１０で行うパチンコ遊技を実現するために、ＣＰＵ，ＲＯＭ，入出力回路等のほか、所要のデータを記憶可能なＲＡＭ６６を備える。このＣＰＵ回路６２は第１電圧Ｖｃの供給を電圧入力端子（Ｖcc）で受けると全ての素子や回路が作動するが、第２電圧Ｖｂのみ供給を電圧入力端子（Ｖbb）で受ける場合にはＲＡＭ６６に記憶した所要のデータを保持可能に作動する。つまり、通常は第１電圧Ｖｃが主電源として機能し、停電時等のように主電源から電力を供給不能になった場合には第２電圧Ｖｂが予備電源として機能する。なお、上述したように予備電源の供給部にもコイル等のノイズ抑制手段を接続することになるので、予備電源から電力を供給している際にも基板や回路の誤動作を防止することができる。
ＲＡＭ６６には例えばＳＲＡＭを用いるが、他種のメモリ（ＥＥＰＲＯＭ，フラッシュメモリ等）を用いてもよい。上述した所要のデータには、例えば各種の乱数（例えば大当たり判定用乱数や大当たり図柄用乱数，リーチパターン乱数等）、ラウンド回数（現在のラウンド回数や最終のラウンド回数等）、保留球数（ゲート用と始動口用等）、確率変動か否かを示す確率変動データなどがある。
【００２０】
ＣＰＵ回路６２のグランド端子（ＧＮＤ）はコイルＬ１６を介してグランドＧ６に接続し、インタフェース回路６４はコイルＬ１８を介してグランドＧ６に接続する。当該インタフェース回路６４や後述するインタフェース回路８４には、例えば所定の電力で信号を伝達するために信号レベルを調整可能な東芝株式会社製のＣＭＯＳシュミットトリガインバータ付バッファとして型番７４ＶＨＣ１４等を用いる。なお、ＣＰＵ回路６２とグランドＧ６との間にコイルＬ１６（第３ノイズ抑制手段３ｄ）を介在して接続すると、当該グランドＧ６から侵入しようとするノイズＮを抑制してＣＰＵ回路６２を保護することができる。トランジスタＱ２のベース端子をＣＰＵ回路６２の信号出力端子（Ｄｘ）と接続し、コレクタ端子をソレノイド７０と接続し、エミッタ端子をグランドＧ４と接続する。
【００２１】
次に賞球制御基板２７は、電源基板３４との間を接続する供給ケーブルＪ２，Ｊ４，Ｊ６に入ったノイズＮの侵入をそれぞれ抑制可能なチョークコイル８０と、第１電圧Ｖｃまたは第２電圧Ｖｂを受けて作動可能なＣＰＵ回路８２と、メイン制御基板１８から出力された所要の信号をＣＰＵ回路８２の信号入力端子（Ｄｘ）で受けるインタフェース回路８４と、第３電圧Ｖｄを受けて賞球や貸球の払い出しを行う払出モータ７２の作動を制御するトランジスタＱ４などを有する。
【００２２】
ここで、インタフェース回路６４の出力側とインタフェース回路８４の入力側との間を信号ケーブルＪ１０で接続し、インタフェース回路６４とコイルＬ１８との接続点とグランドＧ８との間を基準ケーブルＪ１２で接続する。通常はインタフェース回路６４の出力インピーダンスよりもインタフェース回路８４の入力インピーダンスよりも低いので、結果として信号ケーブルＪ１０に入ったノイズＮは矢印Ｄ４に沿って流れ、基準ケーブルＪ１２に入ったノイズＮは矢印Ｄ６に沿って流れる。また、インタフェース回路８４のグランド端子（ＧＮＤ）はグランドＧ８に接続しているので、信号ケーブルＪ１０を流れるノイズＮは矢印Ｄ８に沿ってグランドＧ８に流れる。
【００２３】
コイルＬ２０，Ｌ２２，Ｌ２４を備えたチョークコイル８０には、上述したチョークコイル６０と同様にコモンモード・チョークコイルを用いるのが望ましい。供給ケーブルＪ２は安定化電源回路５２の電圧出力端子（Ｖcc）とコイルＬ２０との間を接続し、安定化電源回路５２のグランド端子（ＧＮＤ）とコイルＬ２２との間を接続した供給ケーブルＪ４と合わせて、賞球制御基板２７に第１電圧Ｖｃを供給する。また、供給ケーブルＪ４は電源基板３４のグランドＧ２と、賞球制御基板２７のグランドＧ１０とを接続する。そして、供給ケーブルＪ６はダイオードＤ６とコンデンサＣ６との接続点とコイルＬ２４との間を接続し、供給ケーブルＪ４と合わせて賞球制御基板２７に第２電圧Ｖｂを供給する。
【００２４】
ＣＰＵ回路８２は賞球や貸球の払い出し制御を実現するために、ＣＰＵ，ＲＯＭ，ＲＡＭ，入出力回路等を備える。このＣＰＵ回路８２は上述したＣＰＵ回路６２と同様に、第１電圧Ｖｃの供給を電圧入力端子（Ｖcc）で受けると全ての素子や回路が作動するが、第２電圧Ｖｂのみ供給を電圧入力端子（Ｖbb）で受ける場合にはＲＡＭに記憶した所要のデータを保持可能に作動する。ＲＡＭにはＲＡＭ６６と同様の種類のメモリを用いる。
ＣＰＵ回路８２のグランド端子（ＧＮＤ）とグランドＧ１０との間にコイルＬ２６を介在させて接続すると、グランドＧ１０から侵入しようとするノイズＮを抑制してＣＰＵ回路８２を保護することができる。また、インタフェース回路８４とグランドＧ１０との間にコイルＬ２８（第４ノイズ抑制手段４ｃ）を介在させて接続し、かつインタフェース回路８４をグランドＧ８に直接接続する。コイルＬ２８はグランドＧ１０から侵入しようとするノイズＮを抑制するとともに、結果としてグランドＧ８とグランドＧ１０との間に介在させることになって第５ノイズ抑制手段４ａにも相当する。さらには、トランジスタＱ４のベース端子をＣＰＵ回路８２の信号出力端子（Ｄｘ）と接続し、コレクタ端子を払出モータ７２と接続し、エミッタ端子をグランドＧ８と接続する。払出モータ７２は、その他にグランドＧ８とも接続する。
【００２５】
なお、賞球制御基板２７ではグランドＧ８とグランドＧ１０との間にチョークコイル８０のコイルＬ２２（第５ノイズ抑制手段４ａ）を介在させたので、グランドＧ８からグランドＧ１０を経てＣＰＵ回路８２等に侵入しようとするノイズを抑制することができる。
また、電源基板３４のグランドＧ２を位置Ｐ２とし、ＣＰＵ回路６２のグランド端子（ＧＮＤ）を位置Ｐ４とし、インタフェース回路６４とコイルＬ１８との間に信号ケーブルＪ１０を接続した接続点を位置Ｐ６とし、賞球制御基板２７のグランドＧ８を位置Ｐ８とするとき、インピーダンスを次のように調整する。すなわち、位置Ｐ４から位置Ｐ２までのインピーダンスＺ２、位置Ｐ４から位置Ｐ６までのインピーダンスＺ４、位置Ｐ６から位置Ｐ８を経て位置Ｐ２に至るまでのインピーダンスＺ６の順番にインピーダンスの大きさを同じか小さく調整する（すなわち、Ｚ２≧Ｚ４≧Ｚ６が成り立つように調整する）。
【００２６】
上述した構成によれば、以下に示す効果を得ることができる。
（１）電源基板３４（電源基板１）は、供給ケーブルＪ２，Ｊ４，Ｊ６（供給線２）からチョークコイル６０（第１ノイズ抑制手段３ａ）を通じてメイン制御基板１８（第１基板３）に電力を供給した。また、インタフェース回路６４（第２回路３ｃ）とグランドＧ６（第１グランドＧｂ）との間にはコイルＬ１８（第２ノイズ抑制手段３ｅ）を介在させるとともに、コイルＬ１８とインタフェース回路６４との間に基準ケーブルＪ１２（基準線６）を接続した｛図３を参照｝。
供給ケーブルＪ２，Ｊ４，Ｊ６を通じて侵入しようとするノイズＮをチョークコイル６０で抑制し、信号ケーブルＪ１０または基準ケーブルＪ１２を通じて侵入しようとするノイズＮをコイルＬ１８によって抑制するとともに基準ケーブルＪ１２を通じて賞球制御基板２７（第２基板４）に矢印Ｄ２に沿って逃がした。したがって複数の経路から侵入しようとするノイズＮを抑制して誤動作を減らすので、メイン制御基板１８（特定の基板）を安定して作動させることができる。
【００２７】
（２）賞球制御基板２７は、グランドＧ８（第２グランドＧｃ）に接続したインタフェース回路８４（第３回路４ｂ）を備え、供給ケーブルＪ４と基準ケーブルＪ１２とをグランドＧ８を通じて接続した｛図３を参照｝。コイルＬ１８によってメイン制御基板１８に侵入するのを抑制されたノイズＮ（すなわち信号ケーブルＪ１０または基準ケーブルＪ１２から侵入しようとするノイズ）は、基準ケーブルＪ１２を通じて賞球制御基板２７に侵入し得る。しかし、基準ケーブルＪ１２はグランドＧ８を通じて供給ケーブルＪ４に接続されているので、最終的にはノイズＮを電源基板３４に逃がすことができる。したがって、メイン制御基板１８をより安定して作動させることができる。
なお、グランドＧ８を通じて供給ケーブルＪ４と信号ケーブルＪ１０とを接続する形態に代えて、グランドＧ８とは別個に回路やライン等と独立した専用線（接続部）を通じて供給ケーブルＪ４と信号ケーブルＪ１０とを接続したり、あるいは供給ケーブルＪ４と信号ケーブルＪ１０とを直接接続してもよい。これらの場合であっても、ノイズＮを供給ケーブルＪ４を経て電源基板３４に逃がすことができるので、メイン制御基板１８をより安定して作動させることができる。
【００２８】
（３）位置Ｐ４から位置Ｐ２までのインピーダンスＺ２（第１インピーダンス）、位置Ｐ４から位置Ｐ６までのインピーダンスＺ４（第２インピーダンス）、位置Ｐ６から位置Ｐ８を経て位置Ｐ２に至るまでのインピーダンスＺ６（第３インピーダンス）の順番にインピーダンスの大きさを同じか小さくなるように調整した。この調整によって、複数の経路を通じてメイン制御基板１８に侵入しようとするノイズＮをインピーダンスの低いグランドＧ２に積極的に方向性を持たせ一定方向に不要なノイズＮを逃がすことができるので、メイン制御基板１８を最優先に保護して安定に作動させることができる。
なお、Ｚ２≧Ｚ４≧Ｚ６で等号が成り立つのはインピーダンスがマッチングした状態であるが、メイン制御基板１８のＣＰＵ回路６２に侵入し得るノイズＮの大きさ（電流値）はインピーダンスマッチングによって小さくなるので従来に比べると誤動作する可能性が低くなる。
【００２９】
〔他の実施の形態〕
上述したパチンコ機１０（遊技機）において、他の部分の構造，形状，大きさ，材質，配置および作動条件等については、上記実施の形態に限定されるものでない。例えば、上記実施の形態を応用した次の各形態を実施することもできる。
（１）上記実施の形態では、パチンコ機１０に本発明を適用した。この形態に代えて、パチンコ機以外の他の遊技機（例えばスロットマシン，アレンジボール機，雀球遊技機，テレビゲーム機等）であって第１基板，第２基板および電源基板を備えたものにも同様に本発明を適用することができる。当該他の遊技機であっても、複数の経路から侵入しようとするノイズを抑制して誤動作を減らすので、特定の基板を安定して作動させることができる。
【００３０】
（２）上記実施の形態で示した構成の他に、図４に示すような次の要素を備えてもよい。なお図４では図３に示す要素と同一の要素には同一の符号を付すとともに、第３電圧Ｖｄを出力する回路（コンデンサＣ４や抵抗Ｒ２等）、供給ケーブルＪ８、トランジスタＱ２、ソレノイド７０等については図示を省略する。
まず電源基板３４には、ノイズフィルタ５０の出力端に接続して交流電源ＡＣの停電（瞬間的な停電を含む）を監視する停電検出回路５６と、その停電検出回路５６から出力する信号をメイン制御基板１８に伝達するインタフェース回路５８とを備える。また、インタフェース回路５８を通じて電源基板３４の停電検出回路５６からメイン制御基板１８に停電検出信号を伝達するため、電源基板３４とメイン制御基板１８との間を信号ケーブルＪ１４で接続する。
【００３１】
次に、メイン制御基板１８には、停電検出回路５６から出力した停電検出信号をＣＰＵ回路６２の割込端子（ＮＭＩ）に入力させる途中に、デジタルフィルタ６９とＥＭＩ（Electromagnetic Interference；電波雑音干渉）フィルタＬ１９とを備える。デジタルフィルタ６９は停電検出回路５６から出力される信号のみを通過させ、信号ケーブルＪ１４から入ったノイズＮを除去して侵入を抑制する。ＥＭＩフィルタＬ１９はＣＰＵ回路６２の割込端子（ＮＭＩ）の直前に接続するのが望ましく、インパルスや静電気等によって直接にメイン制御基板１８内のラインに侵入したノイズを抑制する。また、リセット回路６８とＣＰＵ回路６２のリセット端子（ＲＳＴ）との間にＥＭＩフィルタＬ１７を介在させて接続し、リセット回路６８が出力するリセット信号を入力できるようにする。ＥＭＩフィルタＬ１７はＣＰＵ回路６２のリセット端子（ＲＳＴ）の直前に接続するのが望ましく、上述したＥＭＩフィルタＬ１９と同等の機能を発揮する。
【００３２】
上述した要素を備えると、停電検出回路５６から出力した停電検出信号をノイズＮに影響されることなく確実にＣＰＵ回路６２に伝達することができる。
なお、停電検出回路５６，インタフェース回路５８，リセット回路６８，デジタルフィルタ６９，ＥＭＩフィルタＬ１９等は、上述した実施の形態においても構成することが可能である。また、ＥＭＩフィルタＬ１７，Ｌ１９のうち少なくとも一方に代えて、通常のコイルを用いてもよい。この場合であっても、インパルスや静電気等によって直接に侵入したノイズを抑制することが可能である。
【００３３】
（３）上記実施の形態では、電源基板３４とメイン制御基板１８および賞球制御基板２７との間に本発明を適用した｛図３を参照｝。この形態に代えて、供給ケーブルＪ２，Ｊ４，Ｊ６，Ｊ８、信号ケーブルＪ１０、基準ケーブルＪ１２等を用いて電源基板３４と接続可能な二以上の基板（基板以外では端子板や装置等であってもよい）との間についても同様に本発明を適用することが可能である。例えば表示制御基板１５，ランプ制御基板１６，発射制御装置２５，払出装置２８，接続基板２６，３８や中継基板、パチンコ機１０に備えた他の装置などが該当する。この場合でも、上述した実施の形態と同様の効果を得ることができる。
【００３４】
（４）上記実施の形態では、メイン制御基板１８から出力される信号を受けて作動する賞球制御基板２７は、ノイズＮを逃がす経路としてのグランドＧ８と、ＣＰＵ回路８２やインタフェース回路８４等の回路に共通するグランドＧ１０とを備えた｛図３を参照｝。この形態に代えて、グランドＧ８とグランドＧ１０とを共通のグランドとして直結させてもよい。このように賞球制御基板２７を一のグランドで構成すると、信号ケーブルＪ１０または基準ケーブルＪ１２に入ったノイズＮがＣＰＵ回路８２やインタフェース回路８４等を誤動作させる可能性が高まる。なお一のグランドで構成した場合には、ＣＰＵ回路８２も第３回路４ｂに相当する。しかし、通常は適当な間隔（例えば４ミリ秒ごと）で信号をメイン制御基板１８から賞球制御基板２７に伝達するので、当該賞球制御基板２７に備えた回路が一時的に誤動作した場合であってもメイン制御基板１８から後に出力される信号を受けると正常に作動するようになる。よって、賞球制御基板２７で一時的に誤作動してもすぐに正常に戻るので、メイン制御基板１８の動作をより確実に安定させながらも、全体として基板の作動を安定させることができる。
なお、賞球制御基板２７に備えた回路（特にＣＰＵ回路８２）を積極的にノイズＮから保護するには、回路とグランドとの間にノイズ抑制手段（例えば図３に示すコイルＬ２６，Ｌ２８等）を介在させて接続するのが望ましい。
【００３５】
（５）上記実施の形態では、コンデンサＣ６を用いて第２電圧Ｖｂを蓄電した｛図３を参照｝。この形態に代えて、蓄電池（バッテリ；充電可能なものを含む）を用いてもよい。当該蓄電池を用いた場合であっても、メイン制御基板１８や賞球制御基板２７等に第２電圧Ｖｂを供給することができる。
【００３６】
（６）上記実施の形態では、ノイズＮから基板上の回路を保護するノイズ抑制手段としてチョークコイル６０，８０やコイルＬ１６，Ｌ１８，Ｌ２６，Ｌ２８等を用いた｛図３を参照｝。この形態に代えて、コイル以外の素子（例えば抵抗器等）をノイズ抑制手段として用いてもよい。もし抵抗器を用いた場合にはノイズＮの抑制効果とともに、突入（ピーク）時の電流値を低く抑えることもできる。当該抵抗器としては突入時の放電防止が可能な巻線型の抵抗器を用いるのがよく、特に巻線のギャップを封止したタイプの抵抗器を用いるのが望ましい。
【００３７】
（７）上記実施の形態では、電源基板３４のグランドＧ２と、メイン制御基板１８のグランドＧ４および賞球制御基板２７のグランドＧ８とを供給ケーブルＪ４を用いて接続した。この形態に代えて、供給ケーブルＪ４とは別個に独立した接続ケーブルを用いて接続してもよい。独立した接続ケーブルを用いた場合であっても、グランドＧ４，Ｇ８からグランドＧ２にノイズＮを逃がすことにより、メイン制御基板１８の動作をより確実に安定させることができる。
【００３８】
（８）上記実施の形態では、ソレノイド７０（負荷装置）の作動によって電位が大きく変化するグランドＧ４や、払出モータ７２（負荷装置）の作動によって電位が大きく変化するグランドＧ８をグランドＧ２に接続して電位変化分を逃がした｛図３を参照｝。この形態に代えて（あるいは加えて）、放電可能な放電部材によって当該ノイズＮを放電させる構成としても同様の効果が得られる。当該放電部材としては、例えば遊技盤等を補強するために用いる導電性の補強部材や、導電部材（例えば金属板）で形成したものなどが該当する。
【００３９】
【発明の効果】
本発明によれば、複数の経路から侵入しようとするノイズを抑制するので、特定の基板を安定して作動させることができる。
【図面の簡単な説明】
【図１】本発明の概念を示す模式図である。
【図２】パチンコ機の外観を示す背面図である。
【図３】電源基板とメイン制御基板等との接続例を示す図である。
【図４】電源基板とメイン制御基板等との接続例を示す図である。
【符号の説明】
１  電源基板
２  供給線
３  第１基板
３ａ  第１ノイズ抑制手段
３ｂ  第１回路
３ｃ  第２回路
３ｄ  第３ノイズ抑制手段
３ｅ  第２ノイズ抑制手段
４  第２基板
４ａ  第５ノイズ抑制手段
４ｂ  第３回路
４ｃ  第４ノイズ抑制手段
５  信号線
６  基準線
Ｇａ  第３グランド
Ｇｂ  第１グランド
Ｇｃ  第２グランド
Ｎ  ノイズ
１０  パチンコ機（遊技機）
１５  表示制御基板（基板）
１６  ランプ制御基板（基板）
１８  メイン制御基板（第１基板）
２５  発射制御装置（基板）
２６  接続基板（基板）
２７  賞球制御基板（第２基板）
２８  払出装置（基板）
３０  音制御基板（基板）
３４  電源基板
３６  配電盤（基板）
３８  接続基板（基板）
６０，８０  チョークコイル（ノイズ抑制手段）
６２  ＣＰＵ回路（第１回路）
６４  インタフェース回路（第２回路）
８２  ＣＰＵ回路（第３回路）
Ｇ２  グランド（第３グランド）
Ｇ４，Ｇ１０  グランド
Ｇ６  グランド（第１グランド）
Ｇ８  グランド（第２グランド）
Ｌ１０，Ｌ１２，Ｌ１４，Ｌ１６，Ｌ１８，Ｌ２０，Ｌ２２，Ｌ２４，Ｌ２６，Ｌ２８  コイル（ノイズ抑制手段）
Ｌ１７，Ｌ１９  ＥＭＩフィルタ（ノイズ抑制手段）
Ｊ２，Ｊ４，Ｊ６，Ｊ８  供給ケーブル（供給線）
Ｊ１０  信号ケーブル（信号線）
Ｊ１２  基準ケーブル（基準線）
Ｊ１４  信号ケーブル
【図１】
0004433120.tif 000002
【図２】
0004433120.tif 000003
【図３】
0004433120.tif 000004
【図４】
0004433120.tif 000005